(57)【要約】【課題】プロジェクタ装置を大型化しなくても、フィルム状スクリーンの張力を制御することができる背面透過式プロジェクタ装置を提供する。【解決手段】フィルム状スクリーンの背面より光を投射する背面透過式プロジェクタ装置において、フィルム状スクリーン１の少なくとも対向する２辺は固定部に固定されており、前記フィルム状スクリーン１の固定部の近傍に、少なくとも１個以上の偏心カム８が前記フィルム状スクリーン１と接触するように配置され、前記偏心カム８を回転させることにより前記フィルム状スクリーン１の張力が制御されることを特徴とする。【選択図】図１
2009115899.tif 000002
【特許請求の範囲】
【請求項１】
フィルム状スクリーンの背面より光を投射する背面透過式プロジェクタ装置において、
フィルム状スクリーンの少なくとも対向する２辺は固定部に固定されており、前記フィルム状スクリーンの固定部の近傍に、少なくとも１個以上の偏心カムが前記フィルム状スクリーンと接触するように配置され、前記偏心カムを回転させることにより前記フィルム状スクリーンの張力が制御されることを特徴とする、背面透過式プロジェクタ装置。
【請求項２】
前記偏心カムは複数個配置されており、個々の偏心カムが回転制御されることを特徴とする、請求項１に記載の背面透過式プロジェクタ装置。
【請求項３】
前記偏心カムは、楕円ローラ、偏心楕円ローラ、偏心ローラであることを特徴とする、請求項１又は請求項２に記載の背面透過式プロジェクタ装置。
【請求項４】
前記偏心カムの端部に減速機構が連結されており、前記偏心カムは前記減速機構により任意の回転角度の位置で固定されることを特徴とする、請求項１乃至請求項３のいずれか１項に記載の背面透過式プロジェクタ装置。
【請求項５】
前記減速機構は少なくとも１個以上の駆動装置で駆動されることを特徴とする、請求項４に記載の背面透過式プロジェクタ装置。
【請求項６】
前記フィルム状スクリーンに少なくとも１個以上のテンションセンサーが設けられており、
前記テンションセンサーの情報を基に、前記駆動装置で前記偏心カムを回転させて前記フィルム状スクリーンの張力が一定となるように制御することを特徴とする、請求項１乃至請求項５のいずれか１項に記載の背面透過式プロジェクタ装置。
【請求項７】
前記偏心カムは、偏心カムの回転軸に対し弾性を持ち、又は偏心カムの回転軸との間に配置された弾性体で押され、前記フィルム状スクリーンに張力を与える方向に力が働くことを特徴とする、請求項１乃至請求項６のいずれか１項に記載の背面透過式プロジェクタ装置。
【発明の詳細な説明】
【技術分野】
【０００１】
本発明は、フレネルレンズシート、拡散シート、レンチキュラーシート等からなるフィルム状スクリーンの背面より光を投射する背面透過式プロジェクタ装置に関する。
【背景技術】
【０００２】
従来より、フィルム状スクリーンの弛みを防止するべく、フィルム状スクリーンに張力を与える構成とされた背面透過式プロジェクタ装置が公知である。
【０００３】
特許文献１では、フィルム状スクリーンの上部を固定し、下部でフィルム状スクリーンを巻き取る構造とし、モータ等で前記フィルム状スクリーンを巻き取った軸を張力が掛かる方向に回転させる構成としている。
【０００４】
【特許文献１】実開平４−１１４０４７号公報
【発明の開示】
【発明が解決しようとする課題】
【０００５】
しかし、フィルム状スクリーンを巻き取る構成では、フィルム状スクリーンを巻き取るモータ等の駆動装置に大きなトルクが必要で、駆動装置が大型化し、プロジェクタ装置を薄型化することができない、等の問題点を有する。
【０００６】
本発明は、プロジェクタ装置を大型化しなくても、フィルム状スクリーンの張力を制御することができる背面透過式プロジェクタ装置を提供することを目的とする。
【課題を解決するための手段】
【０００７】
上記課題を解決するための手段として、本発明は、
フィルム状スクリーンの背面より光を投射する背面透過式プロジェクタ装置において、
フィルム状スクリーンの少なくとも対向する２辺は固定部に固定されており、前記フィルム状スクリーンの固定部の近傍に、少なくとも１個以上の偏心カムが前記フィルム状スクリーンと接触するように配置され、前記偏心カムを回転させることにより前記フィルム状スクリーンの張力が制御されることを特徴とする。
【発明の効果】
【０００８】
本発明によれば、プロジェクタ装置を大型化しなくても、フィルム状スクリーンの張力を制御することができる背面透過式プロジェクタ装置を提供することができる。
【発明を実施するための最良の形態】
【０００９】
＜実施形態１＞
本発明に係る背面透過式プロジェクタ装置の実施形態１を図１〜図５に基づいて説明する。
【００１０】
この背面透過式プロジェクタ装置（以下、単にプロジェクタ装置という。）は、フィルム状スクリーン（以下、単にスクリーンという。）１の背面より光を投射し、前記スクリーン１に画像を表示する構成とされている。なお、図示例ではプロジェクタ装置全体でなく、スクリーン周辺のみを示している。
【００１１】
スクリーン１は、レンチキュラーシートとフレネルレンズシートと拡散シートとが貼り合わされた１枚構成とされている。
【００１２】
このスクリーン１は、少なくとも対向する２辺が固定部に固定されている。具体的には、スクリーン１の上端部は、正面視が口の字状に形成された枠体２の上辺に固定板３により押さえ込まれ、前記枠体２の上辺と固定板３とで挟み込まれた状態で止めネジ１６により固定されている。一方、下端部は枠体２の下辺に固定板４により押さえ込まれ、前記枠体２の下辺と固定板４とで挟み込まれた状態で止めネジ１６により固定されている。
【００１３】
枠体２の上辺には、スクリーン１の両側に突出する水平片が連結されており、前記水平片の間には、スクリーン張り材６が設けられている。このスクリーン張り材６はスクリーン１の裏面と接するように配置されており、前記スクリーン張り材６により前記スクリーン１は枠体２の上辺から水平の伸び、その後、垂直に垂れ下がるように配置されている。
【００１４】
枠体２の下辺にも、スクリーン１の両側に突出する水平片が連結されており、前記水平片の間には、スクリーン張り材５が設けられている。このスクリーン張り材５はスクリーン１の裏面と接するように配置されており、前記スクリーン張り材５により前記スクリーン１は枠体２の下辺から水平に伸び、その後、垂直上方に伸びるように配置されている。
【００１５】
つまり、スクリーン１は、枠体２とスクリーン張り材５、６によって、側面視がコの字状に配置されている。ちなみに、スクリーン張り材５、６は、スクリーン１と接しても前記スクリーン１を損傷させることがない部材であれば特に限定されず、スクリーン１との接触部は面取りされている。
【００１６】
スクリーン１の固定部の近傍に、少なくとも１個以上の偏心カム８が前記スクリーン１と接触するように配置されている。具体的には、枠体２の上辺から伸びる水平片における前記枠体２の上辺とスクリーン張り材６との間の位置に、回転軸１２が回転可能に設けられており、前記回転軸１２に偏心カム８が通されて固定されている。この偏心カム８は、スクリーン１の裏面と接するように配置されており、スクリーン１と接触しても前記スクリーン１を損傷させることがない部材を用いて、所定の形状に形成されている。すなわち、偏心カム８は、一定のリフト量でスクリーン１を押し上げることができる曲率で、且つスクリーン１の横幅全体に接するローラー状に形成されている。つまり、本実施形態の偏心カム８は偏心ローラである。なお、偏心カム８は、偏心ローラに限らず、楕円ローラ、偏心楕円ローラであっても、略同様に実施できる。
【００１７】
回転軸１２の両端部に減速機構が連結されており、偏心カム８は前記減速機構により任意の回転角度の位置で固定可能とされている。減速機構は、前記回転軸１２の両端部にウォームホイールギヤ９が設けられており、前記ウォームホイールギア９にはモータ（駆動装置）１４の軸に設けられているウォームギヤ７が噛み合わされている。なお、図１では、減速機構が回転軸１２の両側に連結されているが、少なくもの一方のみに連結されていれば良い。また、減速機構は少なくとも１個以上のモータ１４で駆動されていれば良く、複数個のモータ１４で駆動されていても良い。
【００１８】
上記構成のプロジェクタ装置は、図２、図３に示すように、初期状態では、偏心カム８の小径側の側面がスクリーン１の裏面に接するように配置され、スクリーン１に所定の張力を与えている。一度、スクリーン１に湿度等が加わることにより前記スクリーン１が伸びて弛むと、モータ１４を回転させてウォームギア７及びウォームホイールギア９を介して回転軸１２に駆動力を伝達する。これにより、図４、図５に示すように、偏心カム８を回転させてスクリーン１に所定の張力を与える。つまり、前記偏心カム８を回転させることにより前記スクリーン１の張力が制御される構成とされているのである。そのため、従来のスクリーン全体を巻き取る構成に比べ、モータを小型化することができ、故にプロジェクタ装置の薄型化に寄与できる。
【００１９】
しかも、従来のスクリーン全体を巻き取る構成ではスクリーンが比較的大きくないと良好に張力を補正することができないが、上記構成のプロジェクタ装置は、小さいスクリーンでも良好に張力を補正することができる。
【００２０】
また、従来のスクリーン全体を巻き取る構成ではスクリーンを巻き取り軸に固定する構成が複雑になるが、上記構成のプロジェクタ装置は、スクリーンの上下端部を簡単な構成で枠体２の上下辺に固定することができる。
【００２１】
このとき、スクリーン１に少なくとも１個以上のテンションセンサー１５が前記スクリーン１に接するように設けられていることが好ましい。前記テンションセンサー１５が計測したスクリーン１に掛かる張力の情報を基に、図示しない電気回路によりモータ１４の回転を制御し、絶えずスクリーン１の張力を一定となるように制御することができる。
【００２２】
＜実施形態２＞
本発明に係る背面透過式プロジェクタ装置の実施形態２を図６〜図１１に基づいて説明する。
【００２３】
本実施形態のプロジェクタ装置は、上記実施形態１のプロジェクタ装置と略同様の構成とされているが、減速機構と偏心カムの構成が異なる。また、枠体２の一方の側辺が省略されており、スクリーン張り材５、６が片持ち支持されている。
【００２４】
具体的に云うと、図６に示すように、回転軸２０の一方の端部のみに減速機構が連結されている。この減速機構は、人力によって回転軸２０を回転させる構成とされており、偏心カム１８が通された回転軸２０にハンドル２２が連結されている。ハンドル２２のリンクにボルトの貫通穴２２ａが設けられており、枠体２の上辺側壁に設けられたボルト穴２ａと同心位置に配置し、ボルト２３をネジ込むことで、偏心カム１８が任意の回転角度の位置で固定される（図８、１０等を参照）。本実施形態の任意の回転角度とは、偏心カム１８の長径側の側面がスクリーン１の裏面に接触するときの回転角度をいう。なお、本実施形態では減速機構が回転軸２０の一方の端部のみに連結されているが、偏心カム１８に荷重が掛かった時の撓みを考慮して両側に連結された構成とすることもできる。
【００２５】
偏心カム１８は、上記実施形態１の偏心カム８と略同様の構成であるが、偏心カム１８の内部が半オーバル状にくり抜かれており、このくり抜き部に回転軸２０を貫通させている（図７を参照）。そして、くり抜き部と回転軸２０との隙間にバネ等の弾性体１９が配置されている。弾性体１９は、ハンドル２２を回転させた際に回転軸２０の回転を偏心カム１８に滑らすことなく伝達することができる、復元力を発揮する。しかも、スクリーン１の張力によって押し潰された偏心カム１８を前記スクリーン１が弛んだ際に前記スクリーン１を押し上げる方向に変形させることができる、復元力を発揮する。
【００２６】
上記構成のプロジェクタ装置は、図８、図９に示すように、初期状態では、偏心カム１８の弾性体１９が配置された反対側の側面がスクリーン１の裏面に接するように配置され、スクリーン１に所定の張力を与えている。一度、スクリーン１に湿度等が加わることにより前記スクリーン１が伸びて弛むと、ハンドル２２を回転させて、図１０、図１１に示すように、偏心カム１８の弾性体１９が配置されている側の側面がスクリーン１の裏面に接するように配置される。そのとき、ハンドル２２のリンクの貫通穴２２ａと、枠体２のボルト穴２ａとは同心位置となり、相互の穴にボルト２３をネジ込むことにより、ハンドル２２、しいては偏心カム１８の位置を固定する。
【００２７】
偏心カム１８は、上方からスクリーン１の張力により力を受け、矢印Ａ（図７）の下方向に適度に押し下げられる。そして、スクリーン１が湿度等で伸び、張力が弱くなると、偏心カム１８は弾性体１９により矢印Ａの上方向に押し出され、スクリーン１に張力が掛かり、スクリーン１の湿度等で伸びて緩んだ張力を補正できる構成となっている。したがって、本実施形態のプロジェクタ装置も、前記偏心カム１８を回転させることにより前記スクリーン１の張力が制御される構成とされている。さらに偏心カム１８の弾性体１９により、スクリーン１の張力を一定に微調整することができる。
【００２８】
なお、偏心カム１８は鉛直方向（矢印Ａ方向）に移動するので、回転軸２０に対して偏心カム１８が滑って回転することがない。
【００２９】
上記実施形態の偏心カム１８は回転軸２０との間に配置された弾性体１９で押され、スクリーン１に張力を与える方向に力が働く構成とされているが、偏心カム１８が回転軸２０に対し弾性を持ち、スクリーン１に張力を与える方向に力が働く構成とされても良い。
【００３０】
上記実施形態１、２では、偏心カム８（１８）が一つ配置されているが、この限りでない。偏心カムがスクリーン１の横方向に複数個配置されており、個々の偏心カムが回転制御される構成とされていると、スクリーン１の張力の制御をより細かく行うことができる。
【図面の簡単な説明】
【００３１】
【図１】本発明における実施形態１を示した概略斜視図である。
【図２】初期状態の偏心カムの周辺を拡大して示した概略斜視図である。
【図３】初期状態の偏心カムの周辺を拡大して示した概略側面図である。
【図４】フィルム状スクリーンに張力を付加する際の偏心カムの周辺を拡大して示した概略斜視図である。
【図５】フィルム状スクリーンに張力を付加する際の偏心カムの周辺を拡大して示した概略側面図である。
【図６】本発明における実施形態２を示した概略斜視図である。
【図７】偏心カムの概略断面図である。
【図８】初期状態の偏心カムの周辺を拡大して示した概略斜視図である。
【図９】初期状態の偏心カムの周辺を拡大して示した概略側面図である。
【図１０】フィルム状スクリーンに張力を付加する際の偏心カムの周辺を拡大して示した概略斜視図である。
【図１１】フィルム状スクリーンに張力を付加する際の偏心カムの周辺を拡大して示した概略側面図である。
【符号の説明】
【００３２】
１  フィルム状スクリーン
２  枠体
３  固定板
４  固定板
５  スクリーン張り材
６  スクリーン張り材
７  ウォームギヤ
８  偏心カム
９  ウォームホイールギヤ
１２  回転軸
１４  モータ
１５  テンションセンサー
１６  止めネジ
１８  偏心カム
１９  バネ（弾性体）
２０  偏心カム
２２  ハンドル
２３  止めネジ
【図１】
2009115899.tif 000003
【図２】
2009115899.tif 000004
【図３】
2009115899.tif 000005
【図４】
2009115899.tif 000006
【図５】
2009115899.tif 000007
【図６】
2009115899.tif 000008
【図７】
2009115899.tif 000009
【図８】
2009115899.tif 000010
【図９】
2009115899.tif 000011
【図１０】
2009115899.tif 000012
【図１１】
2009115899.tif 000013